(57)【要約】【課題】保護シートを貼り付ける際に異物を除去することができると共に、容易に貼り付け作業を行うことができる保護シート構造体を提供する。【解決手段】保護シート構造体は、下面に保護シート粘着層１５が形成される保護シート１１と、下面に粘着シート粘着層２１が形成される粘着シート基材２０と、保護シート粘着層１５に貼られる保護シート剥離紙１２とを有し、粘着シート基材２０は、保護シート１１の下面側に配置され、保護シート１１と粘着シート基材２０との間に保護シート剥離紙１２の折り返し部と粘着シート基材２０の折り返し部を配置し、保護シート剥離紙１２の折り返し部と粘着シート基材２０の折り返し部とが結合される。【選択図】図３
2015016656.tif 000002
【特許請求の範囲】
【請求項１】
下面に第１の粘着層が形成される保護シートと、
下面に第２の粘着層が形成される異物除去シートと、
前記第１の粘着層に貼られる剥離部材とを有し、
前記異物除去シートは前記保護シートの下面側に配置され、
前記保護シートと前記異物除去シートとの間に前記剥離部材の折り返し部と前記異物除去シートの折り返し部が配置され、
前記剥離部材の折り返し部と前記異物除去シートの折り返し部とが結合されたことを特徴とする保護シート構造体。
【請求項２】
前記剥離部材の下面に貼着される第１の補強部材と、
前記異物除去シートの上面に貼着される第２の補強部材とを有し、
前記剥離部材は、前記第１の補強部材の端で折り返され、
前記異物除去シートは、前記第２の補強部材の端で折り返されることを特徴とする請求項１に記載の保護シート構造体。
【請求項３】
下面に第３の粘着層が形成され、前記保護シート構造体を対象物に仮固定する仮固定シートを有し、
前記仮固定シートの一部が前記保護シートの端から突出するように前記保護シートの上面に貼着されることを特徴とする請求項１又は２に記載の保護シート構造体。
【請求項４】
前記保護シートと前記異物除去シートとの間に配置される中間部材を有し、
前記剥離部材の折り返し部および前記異物除去シートの折り返し部は共に前記中間部材に結合されることを特徴とする請求項１乃至３のいずれか１項に記載の保護シート構造体。
【発明の詳細な説明】
【技術分野】
【０００１】
本発明は、電子機器の表示部等に貼り付けられる保護シートを含む保護シート構造体に関する。
【背景技術】
【０００２】
電子機器の一例であるデジタルビデオカメラ等の撮像機器は、撮影した映像や撮影条件等を設定するためのメニューを表示するために、液晶ディスプレイ等の表示部を備えている。このような表示部としてタッチパネル機能を備えるものも多く、表示部に直接触れる機会が増えている。そこで、表示部を傷等から保護することを目的として、交換（貼り替え）可能な保護シートを表示部に貼り付けて使用するユーザが増えている。
【０００３】
保護シートを表示部に貼り付ける際には、異物（ごみ、塵等）が表示部と保護シートとの間に入り込まないように、貼り付け作業前に表示部の清掃を行い、その後速やかに保護シートの貼り付けを行うことが一般的である。しかし、清掃から貼り付けまでの僅かな間でも表示部に異物が付着し、表示部と保護シートの間に異物が入り込んでしまうことが多々あり、この異物が視認性や品位を低下させてしまうという問題がある。
【０００４】
そこで、保護シートの貼り付け方法として、貼り付け時に温水を供給しながら異物を流し取り、剥離紙を徐々に剥がして、異物を巻き込まないように保護シートを貼り付ける方法が提案されている（特許文献１参照）。
【先行技術文献】
【特許文献】
【０００５】
【特許文献１】特開２０１０−２８６６６４号公報
【発明の概要】
【発明が解決しようとする課題】
【０００６】
しかしながら、上記特許文献１に記載されているような温水等の液体を使用する方法は、部品製造過程等、水濡れさせたとしても不具合が発生しない場合には有効である。しかし、完成品の電子機器の表面に温水をかけてしまうと、水濡れにより電子機器が故障してしまうおそれがある。
【０００７】
本発明は、保護シートを貼り付ける際に異物を除去することができると共に、容易に貼り付け作業を行うことができる保護シート構造体を提供することを目的とする。
【課題を解決するための手段】
【０００８】
本発明係る保護シート構造体は、下面に第１の粘着層が形成される保護シートと、下面に第２の粘着層が形成される異物除去シートと、前記第１の粘着層に貼られる剥離部材とを有し、前記異物除去シートは前記保護シートの下面側に配置され、前記保護シートと前記異物除去シートとの間に前記剥離部材の折り返し部と前記異物除去シートの折り返し部が配置され、前記剥離部材の折り返し部と前記異物除去シートの折り返し部とが結合されたことを特徴とする。
【発明の効果】
【０００９】
本発明によれば、保護シートを貼り付ける際の異物混入を防止しつつ、容易に貼り付け作業を行うことができる。
【図面の簡単な説明】
【００１０】
【図１】本発明の実施形態に係る保護シート構造体の全体斜視図である。
【図２】図１の保護シート構造体の構造を示す断面図であり、図１中に示す矢視Ａ−Ａ断面図である。
【図３】図２中のＡ部の詳細を示す図である。
【図４】図１の保護シート構造体の液晶ディスプレイに対する仮固定を行う手順を説明する第１の図である。
【図５】図１の保護シート構造体の液晶ディスプレイに対する仮固定を行う手順を説明する第２の図である。
【図６】図１の保護シート構造体が有する異物除去部を液晶ディスプレイに貼り付ける手順を説明する第１の図である。
【図７】図１の保護シート構造体が有する異物除去部を液晶ディスプレイに貼り付ける手順を説明する第２の図である。
【図８】図１の保護シート構造体が有する異物除去部を液晶ディスプレイに貼り付けた後の作業手順を説明する第１の図である。
【図９】図１の保護シート構造体が有する異物除去部を液晶ディスプレイに貼り付けた後の作業手順を説明する第２の図である。
【図１０】図１の保護シート構造体が有する異物除去部を液晶ディスプレイに貼り付けた後の作業手順を説明する第３の図である。
【図１１】図１の保護シート構造体が有する異物除去部を液晶ディスプレイに貼り付けた後の作業手順を説明する第４の図である。
【発明を実施するための形態】
【００１１】
以下、本発明の実施形態について添付図面を参照して詳細に説明する。図１は、本発明の実施形態に係る保護シート構造体１０の全体斜視図である。ここでは、電子機器の一例であるデジタルビデオカメラ等の液晶ディスプレイ３０に保護シート１１（図３参照）を貼り付ける場合について説明することとする。図１には、保護シート構造体１０の貼り付け作業前の状態（外観）が示されている。
【００１２】
図２は、保護シート構造体１０の構造を示す断面図であり、図１中に示す矢視Ａ−Ａ断面図である。保護シート構造体１０は、大略的に、保護シート部１０ａと、異物除去部１０ｂと、剥がし取手（中間部材）１０ｃと、仮固定シート部１０ｄとにより構成される。保護シート部１０ａは、保護シート構造体１０の本体であり、最終的に液晶ディスプレイ３０に密着して貼り付けられる保護シート１１を含む。異物除去部１０ｂは、保護シート１１が液晶ディスプレイ３０に密着して貼り付けられる前に、液晶ディスプレイ３０に付着した異物を取り除くための部品である。剥がし取手１０ｃは、保護シート１１を液晶ディスプレイ３０に密着させて貼り付ける作業の際に作業者が直接取り扱うシート状の部材である。仮固定シート部１０ｄは、液晶ディスプレイ３０に対する保護シート１１の位置決めに用いられる部材である。
【００１３】
図３は、図２中のＡ部の詳細を示す図である。保護シート部１０ａは、保護シート１１と、保護シート剥離紙（剥離部材）１２と、保護シート補強板（第１の補強部材）１３と、保護シート補強板粘着層１４により構成される。そして、保護シート１１は、保護シート基材１１ａと、保護シート粘着層（第１の粘着層）１５とにより構成される。保護シート粘着層１５は、保護シート１１の下面に形成される。保護シート剥離紙１２の先端は、保護シート１１の端から突出するように形成され、保護シート剥離紙１２の保護シート１１の端から突出する部分が保護シート補強板１３の端で折り返される。
【００１４】
保護シート１１は、保護シート基材１１ａが保護シート粘着層１５を介して液晶ディスプレイ３０の表面に密着して貼り付けられることにより、表面を保護する。保護シート補強板１３は、後述するように、保護シート部１０ａから取り外されるまでの間、保護シート剥離紙１２が保護シート粘着層１５から剥がれてしまうことを防ぐ。保護シート補強板１３は、保護シート補強板粘着層１４を介して保護シート剥離紙１２に貼着されている。
【００１５】
異物除去部１０ｂは、粘着シート剥離紙１９と、粘着シート基材２０と、粘着シート粘着層（第２の粘着層）２１と、粘着シート補強板（第２の補強部材）２２と、粘着シート補強板粘着層２３とにより構成される。粘着シート粘着層２１は、粘着シート基材２０の下面に形成される。粘着シート基材２０と粘着シート粘着層２１とが、実質的に、液晶ディスプレイ３０上の異物を除去する異物除去シートとして機能する。粘着シート基材２０および粘着シート粘着層２１は、保護シート１１の下面側に配置される。粘着シート基材２０および粘着シート粘着層２１の先端は、保護シート１１の端から突出するように形成され、粘着シート基材２０および粘着シート粘着層２１の保護シート１１の端から突出する部分が粘着シート補強板２２の端で折り返される。粘着シート剥離紙１９は、粘着シート粘着層２１を液晶ディスプレイ３０の表面に貼着させる作業を開始するまでの間、粘着シート粘着層２１に貼り付けられる。粘着シート粘着層２１は、粘着シート基材２０に保持されており、保護シート１１の貼り付け前に液晶ディスプレイ３０に貼着されることで、液晶ディスプレイ３０に付着している異物を除去することができる。
【００１６】
後述するように、粘着シート基材２０には、保護シート１１の貼り付け作業の際に折り返すことができる程度の柔軟性を有することが必要とされる。しかし、保護シート１１の貼り付け作業前には、粘着シート基材２０に撓みやよれ、皺等が生じることを防止する必要がある。そこで、保護シート１１の貼り付け作業前では、粘着シート補強板２２が、粘着シート基材２０の強度を補強し、粘着シート基材２０に撓みやよれ、皺等が発生することを防止している。粘着シート補強板２２は、粘着シート補強板粘着層２３を介して粘着シート基材２０に貼着されている。
【００１７】
仮固定シート部１０ｄは、仮固定シート１６と、仮固定シート粘着層（第３の粘着層）１７と、仮固定シート剥離紙１８とにより構成される。仮固定シート粘着層１７は、仮固定シート１６の下面に形成される。仮固定シート１６と仮固定シート粘着層１７とが、実質的に、保護シート構造体１０を対象物である液晶ディスプレイ３０に仮固定するシートとして機能する。仮固定シート１６の一部が保護シート１１の端から突出するように保護シート１１の上面に貼着される。仮固定シート１６は、仮固定シート部１０ｄの基材である。仮固定シート粘着層１７は、保護シート１１の貼り付け位置を定めるために液晶ディスプレイ３０に貼り付けられる。仮固定シート剥離紙１８は、仮固定シート粘着層１７を液晶ディスプレイ３０に貼り付けるまでの間、仮固定シート粘着層１７の粘着面を保護する。
【００１８】
仮固定シート粘着層１７が保護シート１１の一端（辺）の上面（保護シート部１０ａにおいて異物除去部１０ｂと対向する面とは反対側の面）に貼着されることで、仮固定シート部１０ｄは保護シート部１０ａに取り付けられている。また、仮固定シート部１０ｄが取り付けられている保護シート部１０ａの端部側で、保護シート部１０ａの保護シート剥離紙１２と異物除去部１０ｂの粘着シート基材２０とが、粘着シート粘着層２１によって結合されている。なお、剥がし取手１０ｃも、粘着シート粘着層２１に結合されている。
【００１９】
図４乃至図１１を参照して、保護シート構造体１０による保護シート１１の液晶ディスプレイ３０に対する貼り付け作業の手順について説明する。
【００２０】
図４及び図５は、保護シート構造体１０の液晶ディスプレイ３０に対する仮固定を行う手順を説明する図である。液晶ディスプレイ３０の表面に対して保護シート１１を貼り付けたい位置に合わせて、仮固定シート剥離紙１８を剥がして仮固定シート粘着層１７を液晶ディスプレイ３０に貼着し、仮固定を行う。
【００２１】
図６及び図７は、異物除去部１０ｂを液晶ディスプレイ３０に貼り付ける手順を説明する図である。図５の状態から、図６に示されるように、液晶ディスプレイ３０の表面に仮固定された保護シート構造体１０全体を持ち上げ、粘着シート剥離紙１９を剥がす。次に、図７に示すように、粘着シート剥離紙１９を剥がした後の異物除去部１０ｂを液晶ディスプレイ３０の表面に密着させる。このとき、異物除去部１０ｂが粘着シート補強板２２を有するため、異物除去部１０ｂを液晶ディスプレイ３０へ貼り付ける際の作業性が向上する。
【００２２】
図８乃至図１１は、異物除去部１０ｂを液晶ディスプレイ３０に貼り付けた後の作業手順を説明する図である。異物除去部１０ｂを液晶ディスプレイ３０に貼り付けた後には、先ず、図８に示すように、粘着シート補強板２２と保護シート補強板１３を異物除去部１０ｂから剥がす。このとき、粘着シート補強板粘着層２３は粘着シート補強板２２と共に剥がされ、保護シート補強板粘着層１４は保護シート補強板１３と共に剥がされる。なお、保護シート部１０ａの保護シート補強板１３は、この段階まで、保護シート剥離紙１２が保護シート粘着層１５から剥がれるのを防止する役割を担っている。
【００２３】
次に図９に示すように、保護シート部１０ａを液晶ディスプレイ３０の表面へ倒して、保護シート部１０ａを異物除去部１０ｂと対向させる。続いて、図１０に示すように剥がし取手１０ｃを、図中の矢印Ｂ方向に引き抜く。これにより、保護シート剥離紙１２と粘着シート基材２０とが折り返される形で引き剥がされる。なお、保護シート剥離紙１２と粘着シート基材２０は、このような反転が可能な十分な屈曲性、柔軟性を有する。その際に、粘着シート粘着層２１の粘着力によって、液晶ディスプレイ３０の表面の異物が除去されると同時に、保護シート部１０ａの保護シート１１が液晶ディスプレイ３０の表面に貼り付けられる。
【００２４】
剥がし取手１０ｃ全体が引き抜かれると、保護シート１１全体が液晶ディスプレイ３０の表面に貼り付けられる。最後に、図１１に示すように、仮固定シート部１０ｄを取り外すことにより、保護シート１１の貼り付け作業は完了する。
【００２５】
以上の説明の通り、保護シート構造体１０は、保護シート１１を含む保護シート部１０ａに粘着シート粘着層２１を含む異物除去部１０ｂを重ねている。そして、保護シート部１０ａの保護シート剥離紙１２と異物除去部１０ｂの粘着シート基材２０とを粘着シート粘着層２１で結合させている。これにより、保護シート剥離紙１２を徐々に剥がすと、粘着シート粘着層２１により表面の異物を取り除きながら、粘着シート粘着層２１が剥がされた領域に即座に保護シート１１を貼り付けることができる。よって、保護シート１１と液晶ディスプレイ３０との間に異物を介在させることなく、簡単に保護シート１１を貼り付けることができる。従って、液晶ディスプレイ３０の視認性を良好に確保しつつ、高い品位を得ることができる。
【００２６】
また、保護シート剥離紙１２と粘着シート粘着層２１が結合した剥がし取手１０ｃを引くことにより、簡単に保護シート１１を貼り付けることができるため、作業性がよい。更に保護シート部１０ａに保護シート補強板１３を設けることにより、保護シート剥離紙１２が保護シート粘着層１５から不用意に剥がれてしまうのを防止することができるため、貼り付け作業の失敗を防止することができる。加えて、異物除去部１０ｂに粘着シート補強板２２を設けることにより、粘着シート粘着層２１を簡単に液晶ディスプレイ３０に貼り付けることができる。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、本発明に係る保護シート構造体１０は、デジタルビデオカメラの液晶ディスプレイ３０に保護シート１１を貼り付ける用途に限られず、各種電子機器の表示部に対する保護シート１１の貼り付けに用いられる。表示部を備える各種電子機器としては、デジタル一眼レフカメラ、コンパクトデジタルカメラ、プリンタ、コピー機（複合機）、ファクシミリ、携帯ゲーム機、携帯電話、スマートフォン、ノートＰＣ、タブレットＰＣ等が挙げられる。また、保護シート１１を貼り付ける対象は、液晶ディスプレイに限定されるものではなく、有機ＥＬパネル等、各種のフラットパネルディスプレイであればよい。更に、保護シート１１を貼り付ける対象は、このような表示部に限定されず、例えば、案内掲示板や表示板、電光掲示による表示装置であってもよい。
【符号の説明】
【００２８】
１０    保護シート構造体
１０ａ    保護シート部
１０ｂ    異物除去部
１０ｃ    剥がし取手部
１０ｄ    仮固定シート部
１１    保護シート
１１ａ    保護シート基材
１２    保護シート剥離紙
１３    保護シート補強板
１５    保護シート粘着層
２１    粘着シート粘着層
２２    粘着シート補強板
３０    液晶ディスプレイ
【図１】
2015016656.tif 000003
【図２】
2015016656.tif 000004
【図３】
2015016656.tif 000005
【図４】
2015016656.tif 000006
【図５】
2015016656.tif 000007
【図６】
2015016656.tif 000008
【図７】
2015016656.tif 000009
【図８】
2015016656.tif 000010
【図９】
2015016656.tif 000011
【図１０】
2015016656.tif 000012
【図１１】
2015016656.tif 000013